(57)【特許請求の範囲】
【請求項１】
載置台に置かれたテレビジョン受像機等が振動や衝撃によって転倒及び滑動しないように固定する転倒防止装置において、キャビネットの正面両側には収容凹部を形成して固定具を嵌め、該固定具は偏心した位置に回転可能に軸支され、そして後方側には引き伸ばすことが出来るスライド棒の先端に固定具を取着すると共に回転可能とし、又スライド棒は任意の位置でロックされるようにした事を特徴とするＴＶ等の転倒防止装置。
【請求項２】
載置台に置かれたテレビジョン受像機等が振動や衝撃によって転倒及び滑動しないように固定する転倒防止装置において、キャビネットの正面両側には収容凹部を形成して固定具を嵌め、該固定具は引き伸ばすことが出来るスライド棒の先端に取着され、そして後方側には引き伸ばすことが出来るスライド棒の先端に固定具を取着すると共に回転可能とし、又スライド棒は任意の位置でロックされるようにした事を特徴とするＴＶ等の転倒防止装置。
【請求項３】
載置台に置かれたテレビジョン受像機等が振動や衝撃によって転倒及び滑動しないように固定する転倒防止装置において、キャビネットの正面両側には収容凹部を形成して固定具を嵌め、該固定具はガイドに沿って降下することが出来、そして後方側には引き伸ばすことが出来るスライド棒の先端に固定具を取着すると共に回転可能とし、又スライド棒は任意の位置でロックされるようにした事を特徴とするＴＶ等の転倒防止装置。
【請求項４】
上記正面に設ける固定具は、ガイドに沿って前進・降下するようにした請求項３記載のＴＶ等の転倒防止装置。
【請求項５】
上記正面側の固定具を中央部一ヶ所とし、後方両側２箇所に上記固定具を備えた請求項１、請求項２、請求項３、又は請求項４記載のＴＶ等の転倒防止装置。
【請求項６】
上記キャビネット正面に収容凹部を設けないで固定具を配置した請求項１、請求項２、請求項３、請求項４、又は請求項５記載のＴＹ等の転倒防止装置。
【発明の詳細な説明】
【０００１】
【発明の属する技術分野】
本発明はテレビジョン受像機、パソコン等を所定の場所に設置した場合、振動や衝撃によって転倒することがないようにする装置に関するものである。
【０００２】
【従来の技術】
テレビジョン受像機はその構造上、正面側に重心が片寄っている為に、地震が発生した場合、又何らかの衝撃が加わった場合には正面側へ転倒し易い。一般に該テレビジョン受像機は適当な高さを有すテーブル等の載置台に載置される場合が多く、転倒するならばテーブル台から落下してしまい、テレビジョン受像機が破損するだけでなく、テーブル付近に置いてある物品を損傷する。又、転倒の際に人が近くに居るならばケガをすることになる。特に近年のテレビジョン受像機は大型化していることもあり、転倒に伴う損失は大きい。
【０００３】
ところで、テレビジョン受像機の転倒防止に関しては、従来においても色々な技術が開発されている。例えば、特開平９−３７１９１号に係る「テレビジョン受信機の転倒防止装置」は、片側を住宅等の壁面に固定し、もう片方をテレビジョン受信機のバックカバーの鉤状体に引っ掛けた紐によりテレビジョン受信機を保持することにより、転倒を防止することが出来る。又、バックカバーのバンド挿入孔にラックを取付けられたバンドを挿入し固定することにより、テレビジョン受信機の転倒を防止出来る。
【０００４】
しかし、このような方法では、部屋の壁面に紐の一端を止着する為の止着具を取付けなくてはならず、該壁面にキズが残ることになる。勿論、壁面とテレビジョン受信機間には張設される紐が介在することも邪魔になる。
【０００５】
又、特開平１１−９３７３号に係る「転倒防止装置及び該転倒防止装置を備えた据置型表示装置」は、大画面でかつ薄型化されたＡＶ機器等が振動・衝撃などで転倒するのを防止する装置をデザイン的に見栄え良い状態で可能とするものである。そこで、機器装置内に固定支持された受け皿と一体と成ったシリンダ内を貫通するピストンに鉄球を載せ、ピストンの下端で回転軸に支持されたロッドをロッドバネの付勢に抗して反時計方向に回動した状態にし、この状態では転倒防止レバーがこれと一体的なストップレバーがロッドのストッパー部に係止されて装置内に格納されているが、振動などにより鉄球が受け皿に落ちると、ロッドがロッドバネのバネ力により時計方向に回動してストッパーレバーとの係止が外れ、回転軸にかかる付勢力で転倒防止レバーが時計方向に回動し、装置外に突出して表示装置が転倒しないように支える。
【０００６】
しかし、この装置では、振動などの衝撃を感知した場合、転倒防止手段としてデバイスが張出すだけであり、表示装置が載置台から滑り落ちる場合にはその効果がない。すなわち、床面などの広い場所に表示装置が設置されている場合であるならば問題ないが、タンスの上やテレビ台の上など、床面より高い位置に載置する場合、転倒防止手段が作動してデバイスが張出しても当る部分が正面側に存在しないならば、該表示装置は落下してしまう。そして、該装置は構造が複雑であって製作コストは非常に高くなる。又、振動や衝撃を感知して複数の部分が連動して作動する為にその信頼性は低く、長期間の使用や悪環境下に置かれている場合には作動しないこともあり得る。
【０００７】
【発明が解決しようとする課題】
このように、従来の転倒防止装置には上記のごとき問題がある。本発明が解決しようとする課題はこの問題点であり、転倒を防止すると共に、滑りをも防止することが出来るテレビジョン受像機などの転倒防止装置を提供する。
【０００８】
【課題を解決する為の手段】
本発明に係るテレビジョン受像機等の転倒防止装置は、該テレビジョン受像機の正面側と背面側(後面側)に固定具が取付けられ、載置台に該固定具を係止することでテレビジョン受像機等が転倒せず、又滑らないようにしている。この固定具は出し入れ可能なようにスライド棒を有し、又スライド棒を中心として回転することが出来る。そして、キャビネットの正面には嵌合凹部を設け、該嵌合凹部に固定具を嵌めて収納することで、ＴＶ機器等の概観が損われないように考慮されているが、固定具の形状によっては嵌合凹部に収納しないことも出来る。
【０００９】
スライド棒は固定具が載置台の前後縁面に当るように伸長し、所定の長さでロックされる。ここで、前後何れか片方にのみロック機構を設ければよく、又何れかにのみスライド棒を備えることもある。そして転倒防止装置は普通テレビジョン受像機の両側に取付けられ、正面両側と背面中央の３箇所に設けることも出来る。以下、本発明に係る実施例を図面に基づいて詳細に説明する。
【００１０】
【実施例】
図１はテレビジョン受像機１が載置台２に載置されて、固定具３，３，４…によって固定されている外観図を示している。載置台２は所定の寸法を持った直方体のボックスであって、その上面５にテレビジョン受像機１が載っているが、該テレビジョン受像機１の前後両側には固定具３，３，４，４が備わっている。固定具３，３，４，４は出し入れ可能なスライド棒６，６，７，７の先端に取着されていて、所定の長さだけ伸びた状態でロックされて載置台２の縁面８，８に係止している。従って、テレビジョン受像機１は載置台２の上面５を滑り移動することなく、又転倒することもない。
【００１１】
ところで、テレビジョン受像機１の正面側に取付けられる転倒防止装置は、正面両側下部に固定具３，３を備え、該固定具３，３はスライド棒６，６の先端に取着されている。この固定具３，３はスライド棒６，６を引き伸ばすことで前方へ突出するが、テレビジョン受像機１の正面には収容凹部９，９が形成されていて、この収容凹部９，９に収まることが出来る。
【００１２】
図２(ａ)はスライド棒６を伸ばして固定具３を収容凹部９から前方へ突出した場合であり、同図(ｂ)は固定具３の向きを変えた場合である。固定具３はスライド棒６の先端に取着されているが、該固定具３の中央ではなく、下方に片寄って取着されている。その為にスライド棒６を引出して載置台２の正面側縁面８に係止するには、(ｂ)のように半回転して固定具３の向きを変えて下方へ延びるようにする。
【００１３】
図３はスライド棒６を延ばした状態の断面図を示しているが、スライド棒６の後方端にはストッパー１０が設けられていて、ストッパー１０がフロント板１１に当ってスライドして伸びる長さは規制されている。
【００１４】
図４は背面側に取付けている転倒防止装置を示している具体例であり、正面側と同じくスライド棒７の先端には固定具４が取着されていて、スライド棒７を引き伸ばして固定具４を載置台２の後方縁面８に係止することが出来る。しかし、後方の転倒防止装置のスライド棒７にはロック機構が備わっていて、任意の突出長さにてロックすることが出来る。
【００１５】
すなわち、上記図１において、前固定具３を突出して載置台２の正面縁面８に係止した状態で、後方転倒防止装置の固定具４を載置台２の後方縁面８に係止しなくてはならず、固定具４が後方縁面８に当ったところでスライド棒７をロックする。図４に示しているように、スライド棒７はキャビネットの側板１２に取着されて水平に突出した軸受け１３の穴を貫通している。
【００１６】
そして、同図(ａ)に示しているように、該軸受け１３はネジ穴を形成し、ツマミ１４のネジ１５はこのネジ穴に螺合していて、軸受け１３の穴１６を貫通したスライド棒７にネジ１５の先端が圧接することが出来る。すなわち、ツマミ１４を回すことでネジ先端がスライド棒７に圧接してスライド棒７をロックする。(ｂ)はスライド棒７がロックされた状態を示している。
【００１７】
図５はテレビジョン受像機１の正面側に取付けられる転倒防止装置を示す他の実施例である。同図に示す固定具１７はＬ型形状を成し、引出して降下することで載置台２の正面縁面８に係止することが出来る。(ａ)はキャビネット正面に形成した収容凹部１８に嵌っている場合であり、収容凹部１８はＬ型固定具が嵌り得るようにＬ型空間を形成している。そして収容凹部１８の両内側面にはＬ型をしたガイド溝１９，１９が設けられていて、このガイド溝１９，１９にＬ型固定具１７の側面から突出したピンが嵌っている。
【００１８】
従って、Ｌ型固定具１７はＬ型ガイド溝１９，１９に沿って(ｂ)→(ｃ)に示す如く、前方へ引出されると共に下方へ降下することが出来、その下端部は載置台２の正面縁面８に係止する。ここで、(ｃ)に示すように降下した状態で時計方向(矢印方向)に回転しないように固定具１７の背面２０を収容凹部１８の底面２１との間に隙間なく密着させることが必要である。この場合、上記固定具をＬ型断面形状とせず、単なる角形ブロック形状として前方へ引出すことなく降下することで、載置台２の正面縁面８に係止することも出来る。
【００１９】
図６は正面側転倒防止装置を示す別の実施形態である。固定具２２は(ａ)に示すようにキャビネット正面側方下端に形成した収容凹部２３に嵌って軸支されている。従って、(ｂ)に示すように回転するならば、下方へ突出して載置台２の正面縁面８に係止することが出来る。ここで、前記図５、図６に示す転倒防止装置と対を成して取付けられる後方の転倒防止装置は前記図４に示すように、スライド棒７の先端に固定具４を取着し、該スライド棒７は適当な位置でロックすることで前後両固定具が載置台２の前後縁面８，８を挟み込んだ状態で係止することが出来る。
【００２０】
図７はテレビジョン受像機１の正面両側に前記図６に示す転倒防止装置を取付け、これを病院のベッドを跨って載置されるオーバーテーブル２４を載置台とした場合である。このように、固定具２２，２２を回転してオーバーテーブル２４の正面縁面２５に係止すると共に、後方の固定具はスライド棒を引き伸ばして後方縁面に係止したところでスライド棒をロックする。
【００２１】
以上述べたように、本発明に係る転倒防止装置は、スライドして引出すことが出来るスライド棒の先端に固定具を取着したものであり、次のような効果を得ることが出来る。
【００２２】
【発明の効果】
本発明の転倒防止装置はテレビジョン受像機の正面側と背面側に固定具を備えている。そして、前後固定具間距離は調整出来るように、少なくとも後方固定具はスライド棒の先端に取着されている。従って、テレビジョン受像機が載置される載置台の前後幅が如何様であっても、載置台の前後縁面に係止して挟み込むことが出来る。
【００２３】
テレビジョン受像機は如何なる振動や衝撃によっても転倒することはなく、勿論、滑動して載置台から落下することもない。そして、正面側の固定具はキャビネットに形成している収容凹部に嵌ることが出来るように成っている為に、商品として販売時の外観が損われることはない。
【図面の簡単な説明】
【図１】テレビジョン受像機が載置台に載って固定具によって固定されている場合。
【図２】正面側の転倒防止装置。
【図３】正面側の転倒防止装置の断面図。
【図４】背面側の転倒防止装置。
【図５】正面側に設けた転倒防止装置の他の具体例。
【図６】正面側に設けた転倒防止装置の他の具体例
【図７】オーバーテーブル上にテレビジョン受像機を載置して固定している場合。
【符号の説明】
１  テレビジョン受像機
２  載置台
３  固定具
４  固定具
６  スライド棒
７  スライド棒
８  縁面
９  収容凹部
10  ストッパー
13  軸受け
17  固定具
22  固定具
【図１】
0003682277.tif 000002
【図２】
0003682277.tif 000003
【図３】
0003682277.tif 000004
【図４】
0003682277.tif 000005
【図５】
0003682277.tif 000006
【図６】
0003682277.tif 000007
【図７】
0003682277.tif 000008